(57)【要約】【課題】排水口から排出される洗浄水の瞬間流量のばらつきを抑制することで、汚物搬送性能の低下を抑制した水洗大便器を提供することを目的とする。【解決手段】排水トラップ部４の下流管路１９は、下流管路１９内の側壁面１９ｃから管路の中心へ向けて突出する衝突部２１を有し、下流管路１９内の側壁面１９ｃに沿って流れる洗浄水Ｆ５は、衝突部２１の立壁部２１ａに衝突して前方に向けた流れの勢いが弱まった後に排水口２０内へと流れ込む。これにより、下流管路１９内を流れる洗浄水が排水口２０の前方側へ回り込まずにすぐに排水口２０内へと流れ込みやすくなる。したがって、排水口２０から排出される洗浄水の瞬間流量のばらつきを抑制し、水洗大便器１の汚物搬送性能の低下を抑制することができる。【選択図】図５
2018080454.tif 000002
【特許請求の範囲】
【請求項１】
汚物を受けるボウル部と、前記ボウル部の下部から延びて溜水を規定する排水トラップ部と、前記排水トラップ部内の水を排出するための排水口と、を備えた水洗大便器において、
前記排水トラップ部は、
前記ボウル部の下部から後方へ上昇する上昇管路と、
前記上昇管路から下降し、その下流端部の中心軸が前記排水口の中心軸から水平方向に離間した下降管路と、
前記下降管路の下流端部と前記排水口とを連通する下流管路と、
を有し、
前記下流管路は、
その管路内の壁面から管路の中心へ向けて突出し、管路内を流れる洗浄水の一部を衝突させた後に前記排水口内へと流入させる衝突部を有する水洗大便器。
【請求項２】
前記衝突部は、その内側角部が湾曲した形状である請求項１に記載の水洗大便器。
【請求項３】
前記衝突部は、前記排水口の側方領域に設けられている請求項１又は２に記載の水洗大便器。
【発明の詳細な説明】
【技術分野】
【０００１】
本発明は、洗浄水源から供給された洗浄水によって汚物を排出する水洗大便器に関する。
【背景技術】
【０００２】
従来から、床に配設された排水配管に排水口を接続する床置き式の水洗大便器において、排水トラップ部の下降管路の下流端部の中心軸が排水口の中心軸から水平方向に離間した水洗大便器が知られている（例えば、特許文献１）。この特許文献１の水洗大便器は、排水口が下降管路の下流端部よりも前方にあるため、下降管路の下流端部から下方に向けて流出した洗浄水が、排水トラップ部内において流れの方向を下方向きから前方向きに変えられた後に排水口から排出される。
【先行技術文献】
【特許文献】
【０００３】
【特許文献１】特開平５−４４２４２号公報
【発明の概要】
【発明が解決しようとする課題】
【０００４】
上述したような水洗大便器においては、排水口に向けて前方へと流れる洗浄水のうち管路内の壁面に沿って流れる洗浄水の一部が、排水口に到達したときにその勢いのまま壁面に沿って前方へと流れ、排水口内へ流れ込む前に一度排水口の前方側へと回り込んでしまうことが分かった。
これにより、排水口から排出される洗浄水の瞬間流量にばらつきが生じてしまい、水洗大便器の汚物搬送性能が低下してしまうおそれがあった。
【０００５】
本発明は、上述した問題を解決するためになされたものであり、排水口から排出される洗浄水の瞬間流量のばらつきを抑制することで、汚物搬送性能の低下を抑制した水洗大便器を提供することを目的とする。
【課題を解決するための手段】
【０００６】
本発明の一態様に係る水洗大便器は、汚物を受けるボウル部と、前記ボウル部の下部から延びて溜水を規定する排水トラップ部と、前記排水トラップ部内の水を排出するための排水口と、を備えた水洗大便器において、前記排水トラップ部は、前記ボウル部の下部から後方へ上昇する上昇管路と、前記上昇管路から下降し、その下流端部の中心軸が前記排水口の中心軸から水平方向に離間した下降管路と、前記下降管路の下流端部と前記排水口とを連通する下流管路と、を有し、前記下流管路は、その管路内の壁面から管路の中心へ向けて突出し、管路内を流れる洗浄水の一部を衝突させた後に前記排水口内へと流入させる衝突部を有する。
【０００７】
この構成によれば、下流管路内の壁面に沿って流れる洗浄水は、下流管路内の壁面に設けられた衝突部に衝突することで流れの勢いが弱まるため、排水口の前方側へ回り込まずにすぐに排水口内へと流れ込みやすくなる。したがって、排水口から排出される洗浄水の瞬間流量のばらつきを抑制し、水洗大便器の汚物搬送性能の低下を抑制することができる。
【０００８】
本発明の一態様に係る水洗大便器において、好ましくは、前記衝突部は、その内側角部が湾曲した形状である。
【０００９】
この構成によれば、衝突部の内側角部が湾曲した形状であるため、衝突部に衝突した洗浄水が下流管路内において流れを乱すことを抑制することができる。そのため、排水口から排出される水の瞬間流量のばらつきを抑制し、水洗大便器の汚物搬送性能の低下を抑制することができる。
【００１０】
本発明の一態様に係る水洗大便器において、好ましくは、前記衝突部は、前記排水口の側方領域に設けられている。
【００１１】
この構成によれば、衝突部が排水口の側方領域に設けられることで衝突部に衝突して流れの勢いが弱まった洗浄水をすぐに排水口内へと流入させることができるため、衝突部に衝突した洗浄水によって下流管路内を流れる洗浄水の流れが乱れることを抑制することができる。そのため、排水口から排出される洗浄水の瞬間流量のばらつきを抑制し、水洗大便器の汚物搬送性能の低下を抑制することができる。
【発明の効果】
【００１２】
本発明によれば、水洗大便器において、排水口から排出される洗浄水の瞬間流量のばらつきを抑制することで、汚物搬送性能の低下を抑制することができる。
【図面の簡単な説明】
【００１３】
【図１】本発明の一実施形態に係る水洗大便器の概略断面図である。
【図２】本発明の一実施形態に係る排水トラップ管路の概略断面図である。
【図３】図１のＩ−Ｉ断面上方斜視図である。
【図４】図１のＩ−Ｉ断面上面視図である。
【図５】本発明の一実施形態に係る排水トラップ管路の排水口付近の概略断面上方斜視図である。
【発明を実施するための形態】
【００１４】
以下、本発明の実施の形態について添付図面を参照しながら説明する。なお、各図面中、同様の構成要素には同一の符号を付して詳細な説明は適宜省略する。
【００１５】
＜水洗大便器の構成＞
まず、図１を参照して、本発明の実施形態に係る水洗大便器について説明する。図１は、本発明の一実施形態に係る水洗大便器の概略断面図である。なお、図１において、溜水の水位がＷＬで示されている。また、下降管路１８の下流端部１８ａの中心軸がＸ、排水口２０の中心軸がＹで示されている。
【００１６】
図１に示すように、水洗大便器１は、洗い落とし式の水洗大便器であり、汚物を受けるボウル部２と、ボウル部２の下部から延びる排水トラップ部４と、排水トラップ部４内の水を床下排水管（図示せず）へと排出するための排水口２０と、便器洗浄に使用される洗浄水を貯水したボウル部２へ供給する洗浄水源である重力給水式の貯水タンク（図示せず）と、を備えている。水洗大便器１の上面には、貯水タンクからの洗浄水を水洗大便器１へ供給するための給水口６が開口している。このボウル部２には、貯水タンクから供給される洗浄水を吐水するリム吐水口８が形成されている。
【００１７】
ここで、本実施形態では、水洗大便器１が設けられる床面に沿う方向を水平方向、これと直交する方向を鉛直方向ということにする。
また、床面に対して水洗大便器１が設けられる方向を上方向（上方）、これと反対側を下方向（下方）、ボウル部２に対して給水口６が設けられる側を後方向（後方）、これと反対側を前方向（前方）、上下方向及び前後方向と直交する方向のうち後方に向いて右側を右方向（右方）、左側を左方向（左方）、ということにする。
【００１８】
ボウル部２は、ボウル形状の汚物受け面１０と、汚物受け面１０の下縁部１０ａから下方へ形成されて排水トラップ部４に接続される凹部１２と、ボウル部２の上縁部に沿って形成されたリム部１４と、を備えている。
【００１９】
リム吐水口８は、ボウル部２の上部後方に形成されており、洗浄水をこのリム吐水口８からボウル部２の上部に形成されるリム部１４の内周面１４ａに沿って前方に吐出する。リム吐水口８から吐水された洗浄水は、汚物受け面１０を旋回する旋回流を形成し、凹部１２に流れ込む。
【００２０】
ボウル部２と排水トラップ部４とは、一体的に形成されており、ボウル部２の汚物受け面１０の凹部１２の後方且つ下方には、排水トラップ部４のトラップ部入口部４ａが開口している。
【００２１】
＜排水トラップ部の構成＞
次に、図２〜５を参照して、本発明の実施形態に係る排水トラップ部４について説明する。図２は、本発明の一実施形態に係る排水トラップ部の概略断面図である。図３は、図１のＩ−Ｉ断面上方斜視図である。図４は、図１のＩ−Ｉ断面上面視図である。図５は、本発明の一実施形態に係る排水トラップ部の排水口付近の概略断面上方斜視図である。
【００２２】
図２に示すように、排水トラップ部４は、ボウル部２の下部に形成されたトラップ部入口部４ａから後方へ上昇する上昇管路１６と、上昇管路１６から鉛直方向に下降し、その下流端部１８ａの中心軸Ｘが排水口２０の中心軸Ｙから水平方向の後方に離間した下降管路１８と、下降管路１８の下流端部１８ａと排水口２０とを連通するように水平方向の前方へ向けて延びる下流管路１９と、を有している。また、ボウル部２の下部及び上昇管路１６の一部には溜水が規定されている（図１参照）。
排水口２０は、排水トラップ部４内の水を排出するために下方に向けて開口しており、床下に設けられた床下排水管の入口部（図示せず）と排水ソケット（図示せず）によって接続されている。
【００２３】
上昇管路１６は、トラップ部入口部４ａの上方且つ後方へ延び、この上昇管路１６から鉛直方向下方に延びる下降管路１８が連続している。上昇管路１６と下降管路１８との間には、排水トラップ部４の流路底面位置の最高位置であるトラップ部頂部４ｂが形成されている。
【００２４】
図３〜５に示すように、下流管路１９は、下降管路１８の下流端部１８ａから排水口２０まで連続しており、管路内には、下降管路１８の下流端部１８ａの鉛直方向下方に位置して後方から前方に向けて下方へ傾斜する傾斜面１９ａと、傾斜面１９ａの前端部から前方に向けて延びる底面１９ｂと、傾斜面１９ａ及び底面１９ｂの左右両側から上方に向けて延びる側壁面１９ｃと、左右の側壁面１９ｃの上端部を連続させる天面１９ｄと、を有する。
下流管路１９内に傾斜面１９ａを形成することによって、下降管路１８の下流端部１８ａから下流管路１９に流入した洗浄水の流れの向きを下方向きから前方向きにスムーズに変化させることができる。
【００２５】
下流管路１９は、下流管路１９内の側壁面１９ｃから管路の中心へ向けて突出する衝突部２１を有する。この衝突部２１は、排水口２０の側方領域における下流管路１９内の側壁面１９ｃに設けられている。なお、ここでいう排水口２０の側方領域とは、平面視において排水口２０の中心軸Ｙよりも左右方向外側で、かつ排水口２０の前端部２０ａと排水口２０の後端部２０ｂとの間の領域である。
【００２６】
衝突部２１は、下流管路１９の側壁面１９ｃから管路の中心に向けて延びる立壁部２１ａと、衝突部２１の内側角部であり、立壁部２１ａの内端部から後方に向けて湾曲したＲ形状に形成されている湾曲部２１ｂと、を有する。
【００２７】
＜排水トラップ部内の水の流れ＞
次に、図２〜５を参照して、本発明の実施形態に係る排水トラップ部４内の水の流れについて説明する。
【００２８】
まず、図示しない操作部からの指令により、便器の洗浄が開始されると、貯水タンク（図示せず）の洗浄水が、給水口６を介して水洗大便器１内へ供給される。水洗大便器１内へ供給された洗浄水は、ボウル部２に形成されているリム吐水口８から吐水される。ボウル部２内が旋回流によって洗浄された後、リム吐水口８から吐水された洗浄水は、水の落差による流水作用で汚物を排水トラップ部４のトラップ部入口部４ａから上昇管路１６に排出される。図２に示すように、上昇管路１６内に汚物と共に排出された洗浄水（以降、汚物と共に排出された洗浄水を単に洗浄水と呼称することとする）は、上昇管路１６を上昇してトラップ部頂部４ｂに至り、下降管路１８に向かって排出される（Ｆ１）。
【００２９】
上昇管路１６から下降管路１８へ流れ込んだ洗浄水Ｆ１は、下降管路１８内を下って下降管路１８の下流端部１８ａから下流管路１９に向かって排出される（Ｆ２）。この下降管路１８の下流端部１８ａから下流管路１９に流れ込んだ洗浄水Ｆ２は、下流管路１９内の傾斜面１９ａおよび底面１９ｂに衝突することで、流れの方向が下方向きから前方向きへと変化する（Ｆ３）。
【００３０】
下流管路１９内の傾斜面１９ａおよび底面１９ｂに衝突して流れの方向が前方向きになった洗浄水Ｆ３は、下流管路１９内の底面１９ｂおよび側壁面１９ｃに沿って排水口２０に向けて流れる（Ｆ４，Ｆ５）。
下流管路１９内の底面１９ｂに沿って流れる洗浄水Ｆ４は、排水口２０に到達するとそのまま排水口２０内へと流れ込む。また、下流管路１９内の側壁面１９ｃに沿って流れる洗浄水Ｆ５は、衝突部２１の立壁部２１ａに衝突して前方に向けた流れの勢いが弱まった後に排水口２０内へと流れ込む。こうして、排水口２０内へと流れ込んだ洗浄水Ｆ４，Ｆ５は、水洗大便器１から排出される。
【００３１】
＜作用効果＞
次に、本実施形態における水洗大便器の作用効果を説明する。
【００３２】
本実施形態においては、排水トラップ部４の下流管路１９は、下流管路１９内の側壁面１９ｃから管路の中心へ向けて突出する衝突部２１を有し、下流管路１９内の側壁面１９ｃに沿って流れる洗浄水Ｆ５は、衝突部２１の立壁部２１ａに衝突して前方に向けた流れの勢いが弱まった後に排水口２０内へと流れ込む。これにより、下流管路１９内を流れる洗浄水が排水口２０の前方側へ回り込まずにすぐに排水口２０内へと流れ込みやすくなる。したがって、排水口２０から排出される洗浄水の瞬間流量のばらつきを抑制し、水洗大便器１の汚物搬送性能の低下を抑制することができる。
【００３３】
また、衝突部２１は、衝突部２１の内側角部であり、立壁部２１ａの内端部から後方に向けて湾曲したＲ形状に形成されている湾曲部２１ｂを有する。これにより、衝突部２１に衝突した洗浄水Ｆ５が下流管路１９内において流れを乱すことを抑制することができる。したがって、排水口２０から排出される洗浄水の瞬間流量のばらつきを抑制し、水洗大便器１の汚物搬送性能の低下を抑制することができる。
【００３４】
また、衝突部２１は、排水口２０の側方領域Ａにおける下流管路１９内の側壁面１９ｃに設けられている。これにより、衝突部２１に衝突して流れの勢いが弱まった洗浄水Ｆ５をすぐに排水口２０内へと流入させることができるため、衝突部２１に衝突した洗浄水Ｆ５が下流管路１９内において流れを乱すことを抑制することができる。したがって、排水口２０から排出される洗浄水の瞬間流量のばらつきを抑制し、水洗大便器１の汚物搬送性能の低下を抑制することができる。
【００３５】
以上、本願の開示する技術の実施形態について説明したが、本願の開示する技術は、上記に限定されるものではない。
【００３６】
例えば、上記実施形態においては、排水トラップ部４の下降管路１８と下流管路１９とが一体的に形成されていることとしたが、本発明はこれに限らず、例えば排水トラップ部４は下降管路１８の下流端部１８ａまで延びていることとし、下降管路１８の下流端部１８ａと床下排水管の入口部（図示せず）とを接続する排水ソケットを設け、この排水ソケットの管路内に衝突部２１が形成されてもよい。
【００３７】
また、上記実施形態においては、衝突部２１は、排水口２０の側方領域Ａにおける下流管路１９内の側壁面１９ｃに設けられていることとしたが、本発明はこれに限らず、例えば衝突部２１が下流管路１９内における排水口２０の前端部２０ａよりも前方に設けられてもよい。
【００３８】
前述した各実施の形態が備える各要素は、技術的に可能な限りにおいて組み合わせることができ、これらを組み合わせたものも本発明の特徴を含む限り本発明の範囲に包含される。
【符号の説明】
【００３９】
１        水洗大便器
２        ボウル部
４        排水トラップ部
４ａ      トラップ部入口部
４ｂ      トラップ部頂部
６        給水口
８        リム吐水口
１０      汚物受け面
１０ａ    下縁部
１２      凹部
１４      リム部
１４ａ    内周面
１６      上昇管路
１８      下降管路
１８ａ    下流端部
１９      下流管路
１９ａ    傾斜面
１９ｂ    底面
１９ｃ    側壁面
１９ｄ    天面
２０      排水口
２０ａ    前端部
２０ｂ    後端部
２１      衝突部
２１ａ    立壁部
２１ｂ    湾曲部
Ｘ        中心軸
Ｙ        中心軸
【図１】
2018080454.tif 000003
【図２】
2018080454.tif 000004
【図３】
2018080454.tif 000005
【図４】
2018080454.tif 000006
【図５】
2018080454.tif 000007